(57)【要約】      （修正有）【課題】汚れても、新しい状態へ使用者の手で再生し新しい状態で繰り返し使用ができる構造を持つ珪藻土製コースターを提供する。【解決手段】本考案の珪藻土製コースターは、珪藻土板表面に水溶液の吸収と拡散が速い素材（プラスチック糸で編んだ網戸のネット、ナイロンたわしにある不織布や不織紙、コーヒードリップで使用する濾紙やコースター向け専用紙など）を使った透水シートを事務用品の両面接着テープで貼り合わせる複合構造が特徴であり、さらに珪藻土の多孔質な表面性の影響を受けて接着固定した両面テープはめくる方向には接着力が弱く剥がれやすい特性を利用して透水シートを貼り換え交換することで繰り返し新しく再生する能力を持つ。【選択図】図１
0003223303.tif 000002
【実用新案登録請求の範囲】
【請求項１】
飲料用コースターについて、透水性のあるすなわち水溶液の吸収と拡散が速い素材（プラスチック糸で編んだ網戸のネット、ナイロンたわしにある不織布や不織紙、コーヒードリップで使用する濾紙やコースター向け専用紙が例）を使用する透水シートを、珪藻土板表面全面に一般的な事務用品の両面接着テープを利用し３０％以下の面積で接着固定し貼り合わせる複合構造を特徴とし、接着固定した両面テープが珪藻土の多孔質な表面性の影響を受けてめくる方向には接着力が弱く剥がれやすい特性を利用して使用後の透水シートを新しく貼り換え交換ができ繰り返し再生する能力を有する、珪藻土製コースター。
【考案の詳細な説明】
【技術分野】
【０００１】  飲料用向けの珪藻土製コースターについて、貼り換え交換ができかつ水溶液を透過させるシート（透水シート）をコースターの表面に貼り珪藻土板本体を汚れから守りまた新しく再生して使える構造に関するもの。
【背景技術】
【０００２】  素材である珪藻土は紙製や不織布で製作されたコースターとは違い極めて高いその給水能力（吸水速度と給水量、乾燥力）から、冷たい飲料を入れたグラス等の下に敷き水滴を吸収させるコースターや風呂上がりの濡れた足の水滴を乾かすバスマットなど向けへ急速に近年商品開発が行われ広く普及したが、コースターの場合はビールやワインなどの着色性飲料を１回でもこぼして着色させ汚すと珪藻土の高い吸水性のために内部まで着色汚れを起こすため完全に洗浄ができず着色汚れとして残ることから食卓で使用する性格上から僅かな外観上の汚れは不愉快で不衛生なものと判断され、珪藻土の能力にはなんら問題がないにもかかわらず直ちに廃棄され不経済な扱いをされている。【０００３】  すなわち、消費者が本来購入を望んでいるすぐれたデザインや機能を持った高価になる珪藻土製コースターは敬遠され、百均に代表される使い捨ての低品位低価格商品が消費者の中で現在は主流となり、飲食店では珪藻土製コースターの使用は見あたらないといった生産者側から見ると市場が崩れている状況にある。【０００４】  解決するための汚れたときの珪藻土製コースターの洗浄方法や技術については販売者側からの説明は何もなくまた新しい考案も見当たらず、購入者による様々な知恵がインターネット上で交流されている状況であり、それは紙やすりで表面の汚れは削り落とすかキッチンハイターなどの漂白剤に浸漬するといった方法しかなく、いずれの場合も傷がつくか珪藻土の素材がもろくなるといった問題を抱えている。【０００５】  他の方法では、布袋に珪藻土製バスマットを入れて汚れた時は布袋を洗うか新しい布袋に交換する方法や布カバーを被せて汚れたときは交換する方法が消費者から提案され、布の生地は天然繊維や化学繊維の服に使う通常の布であるが、珪藻土板は布袋の中や被されたままであると濡れたままの布が接し、さらに布と珪藻土板表面との間に湿気や水滴が溜まることから乾燥しにくくカビが発生しやすいことから、使用後は毎回珪藻土板を布袋から外に出したりカバーを外して別々に乾燥させる必要性であるという注意書きがあり、すなわち使い勝手が悪いことから普及はみられない。【０００６】  汚れないあるいは汚れても適切な洗浄方法を実現する技術が提供されていないため、汚ごれた場合はコースターを買い換えざるを得ない状況は、高価でもデザイン的に気に入った珪藻土製コースターを買い求めたいと考える購入者へは大きな不満となっている。
【先行技術文献】
【特許文献】
【０００７】
【特許文献１】実登３２０４２８１、家庭用水切り用品
【特許文献２】実登３１９５１４６、吸水性製品
【非特許文献】
【０００８】
【非特許文献】宇部興産建材株式会社「なのらぼ」ホームページ、珪藻土コースター
【考案の概要】
【考案が解決しようとする課題】
【０００９】  珪藻土製コースターは、ビールやワインなどの飲み物によって着色し汚れた場合は、しっかり洗浄し衛生的な状態に再生しても、わずかな汚れが残ると不愉快で不衛生なものと判断され飲食店では１回しか使用していなくても破棄せざる得ないため、高級感あるデザインや性能において劣っていても経済的で利便性に優れた使い捨ての紙製に対しては、コストが合わず商品力が劣る。【００１０】  珪藻土製コースターを布袋の中に入れたり専用の布カバーをのせて汚れを防ぐ方法が提案されているが、給水した水分が布自体と珪藻土板表面と布との間に溜まりやすくそして乾きにくいため、珪藻土板にカビが発生するという大きな問題を抱えている。【００１１】  汚れを落として洗浄再生する方法のうち、サンドペーパーやナイフで削る方法は削った傷跡が残り漂白剤で脱色する方法は珪藻土素材そのものがもろくなることや完全に脱色しない場合があり、コースターとして再生ができない。【００１２】  そのように汚れたら廃棄せざるを得ないという理由から、消費者が本来購入を望んでいるすぐれたデザインや機能を持った高価である珪藻土製コースターは敬遠されて百均に代表される使い捨ての低品位低価格商品が消費者の中では主流になり、また飲食店では珪藻土製コースターの採用が大幅に減り紙製コースターが主流であり、生産者から見ると質量と共に製品市場が崩れていると言える。
【課題を解決するための手段】
【００１３】  本考案の珪藻土製コースターは、透水性のあるすなわち水溶液の吸収と拡散が速い素材（プラスチック糸で編んだ網戸のネット、ナイロンたわしにある不織布や不織紙、コーヒードリップで使用する濾紙やコースター向け専用紙が例）を使用する透水シートを、珪藻土板表面全面に一般的な事務用品の両面接着テープを利用し３０％以下の面積で接着固定し貼り合わせる複合構造を特徴とし、接着固定した両面テープが珪藻土の多孔質な表面性の影響を受けてめくる方向には接着力が弱く剥がれやすい特性を利用して使用後の汚れた透水シートを新しく貼り換え交換ができ繰り返し再生する能力を有する。
【考案の効果】
【００１４】  珪藻土の多孔質な表面特性の影響を受けて、めくる方向に対してだけはたとえ強力な両面接着テープであっても接着層の基材がＰＥＴのようなフィルム（接着剤が珪藻土板に転移して残る）でない不織布や紙の場合は珪藻土との接着力がめくる方向には弱くなる特性を利用して、両面テープで貼り付けた汚れた透水シートを珪藻土製コースターからめくり取って新しい次の透水シートに交換して貼り付けることでコースターが新しく再生できることと、さらに珪藻土製コースターの表面に傷が洗浄したあと残ったとしても透水シートでカバーするので新しい状態に戻せることや、透水シートに透水性のある素材を使うことによりシートと珪藻土板表面との隙間は通気性がよくなりまた珪藻土の吸水吸湿効果により水滴や湿気が溜まらず乾燥するためカビは発生しないので、先に説明した課題はいずれもすべて解決する。【００１５】  また、透水シートに例えば不織紙に色をつけてカラフルにしたりあるいは透水シートの上にさらに透水性のある別の素材で層を重ねるなど、すなわち、違った種類の透水シートを組み合わせて使用することでコースターの重要な要素であるデザインも紙製コースターとは異なり立体感のあるものへ大きく変えられ、デザインを付加させおしゃれな複合構造の珪藻土製コースターに本考案では仕上げることが可能なので、またあらかじめ用意しておいた異なったデザインの透水シートへ交換することで同じ土台の珪藻土製コースターを使いながら複数のデザインを楽しむ価値を付加できることから、先に説明した課題にある低品位デザイン低価格の使い捨て型商品の広がりによる製品市場の崩れを解決する。
【図面の簡単な説明】
【００１６】
【図１】本考案の基本的な構造と、本考案の特徴である珪藻土板から両面テープを剥離するときのイメージを表現している。
【図２】違った種類の透水シートを使用することで、コースターの重要な要素であるデザインも大きく変えられることを示す３つの制作例である。
【図３】不可能である防水加工しているプリント写真用紙を使用したいときに、それを可能にする基本構造と水分を珪藻土へ浸透させる仕組みを説明している応用例である。
【考案を実施するための形態】
【００１７】  図１にあるように、コースターの全面サイズに合わせて透水シートを用意して、その透水シートの裏面側に、例えば周囲の淵に沿って「ロ」の字型で、また中央部の透水シートが珪藻土板から浮いて空間ができる場合は中央に「Ｘ」の字型を追加して、もし浮かず空間が全体に出ない場合はもっと単純な型で、５〜１５ｍｍ幅（幅は狭い方が好ましい）の市販の一般的な事務用品である両面接着テープで接着力は普通を使って透水シートと珪藻土板の間に隙間が出ない状態で貼り合わせて重層構造に仕立て上げる。
【００１８】  使用する両面接着テープは、接着層の基材がＰＥＴのようなフィルムでない不織布や紙であれば接着度の強度が強力（珪藻土板に接着テープがしっかり接着固定した状態）であっても、めくる方向に対しては珪藻土板表面の多孔質な物性のために剥離ができることから一般的な既製品の接着強度は弱タイプや再剥離タイプから強力タイプまで透水シートの種類に合わせてどれを使っても良く（基材から粘着剤が外れ珪藻土板に転移するタイプは使用できない）、実施例１からもわかるように実際は、紙を接着する目的の事務用品向け製品で接着力は普通タイプで実用的に充分機能する。
【００１９】  直線の両面接着テープでは対応できない円型コースターの円周部分の接着については実施例２にあるように、両面テープの接着性に似る市販している貼って剥がせる固化せず粘着性のある弾性粘着剤（例、セメダインＢＢＸ）が使用できる。
【００２０】  透水シートは、衣服にあるような細い繊維で細かく織られた布地は織り目や糸の繊維間に水が溜まりやすく乾きにくいことからカビが生えるのでたとえプラスチック製の化学繊維であっても素材として適さないが、図２の例−２に示したように網戸にみられるプラスチックの糸で太さが３００ミクロン以上で平織りで織られたシートや特に指定しないが畳織りやレース織りなど糸の太さに合わせた織物シートは最適であり、また紙の素材の場合は吸水力があり下への拡散が速く水で伸縮しない（水濡れに強い腰のある紙肌）性質があれば洋紙や和紙を問わず使用でき一般的には水に強い吸水性のある水彩画用紙（図２の例−１）や不織紙そしてドリップコーヒーの濾紙やコースター向け専用紙が最適であり、いずれの素材の場合も厚すぎるのは良くなく２．０ｍｍ程度以下の厚さが好ましい。
【００２１】  図２の例−３にあるように透水シートは重ね合わせて重層構造に仕立てても良く、例えば１層目に網戸素材であるネットを使ってその上に重ねる２層目は違う素材であるプラスチック糸で織られたシートや切り絵風にしたコースター用紙を使って透水シートを２層にすることができ、２層目以降の固定には接着剤を使い点で固定するなどして、透水性を阻害しなければ様々な種類の透水シートを何層にでも重ねられデザイン創作を発揮できる。
【００２２】  水溶液を通さないフィルムや防水加工した布やシートは透水シートの素材としてはまったく使えないが、切り絵のように切り抜いて隙間（スリット）を持つ形状に加工すれば水は通り抜けて落ちるので透水シートとして使うことができ、例えば１層目のドリップコーヒーの濾紙の上に２層目としてインクジェットで印刷した写真用紙を裁断して１から４ミリ程度の隙間（水が抜ける隙間（スリット））を開けて切り貼りした基本構造（図３）を持たせれば透水シートとし使用することができ、画像として写真用紙を利用できるので商品的にデザインの幅を広げられる特徴がある。
【００２３】  透水性シートを剥がす時は、透水シートと同時に剥がすかあるいは先に透水シートだけを取り去り珪藻土板に残った両面テープを剥がしても良く、いずれの場合もコーナー（角）から指を使って図１のように両面テープの接着層をめくりながら少しずつ剥がし始めてゆっくりと先へ進め、もし珪藻土板表面に破れて両面接着テープが部分的に残った場合は指で数回こすりこそげながら進めると全てを完全に剥がし取り去ることができる。
【００２４】  仮に珪藻土板の素材によっては両面テープがわずかにこびりつき指では完全に落としきれない場合が起きたときは、事務用品の砂消しゴムでこすると簡単に完全に落ちる。
【００２５】  新しい透水シートへ交換するときは、珪藻土板を汚れに合わせて洗浄し完全に乾かしたあと、粉が付着しているときは綿ハンカチのような表面が平滑な布や素手で完全に落としてから、あらかじめ両面テープを貼って作成用意しておいた複数枚の透水シートから１枚を選んで両面テープの離型紙をはがし位置を定めて珪藻土版に貼り合わせる。
【実施例】
【実施例１】
【００２６】  市販されている異なった表面を持つ（あ）から（お）の５種類の珪藻土板に対して、弱度から強度接着の順に（１Ｔ）から（５Ｔ）の５種類の両面テープ（再剥離型弱度：１Ｔ、普通強度（基材紙）：２Ｔ、３Ｔ、織物向け強力（基材不織布）：４Ｔ、強強度（基材ＰＥＴ）：５Ｔ）の剥離性と接着性を３回繰り返し調べた結果を以下に示すが、接着強度が極めて強力な両面テープの接着層の基材がＰＥＴフィルム（５Ｔ）でなければ珪藻土板にしっかり接着固定した状態であってもめくる方向に対して剥離ができたので本考案の実用性が確かめられた（好ましくは作業しやすい剥離性を考えると接着性が十分だった普通強度の両面テープ２Ｔと３Ｔ）；（比較、滑面タイル）（１Ｔ）良良良／良良良、（２Ｔ）良良良／良良良、（３Ｔ）良良良／良良良、（４Ｔ）普普良／良良良、（５Ｔ）劣普劣／良良良、  （あ、珪藻土板）（１Ｔ）良良良／良良良、（２Ｔ）良良良／良良良、（３Ｔ）良良良／良良良、（４Ｔ）良良良／良良良、（５Ｔ）普劣劣／良良良、  （い、珪藻土板）（１Ｔ）良良良／良良良、（２Ｔ）良良良／良良良、（３Ｔ）良良良／良良良、（４Ｔ）良良良／良良良、（５Ｔ）普普普／良良良（う、珪藻土板）（１Ｔ）良良良／良良良、（２Ｔ）良良良／良良良、（３Ｔ）良良良／良良良、（４Ｔ）良良良／良良良、（５Ｔ）劣劣劣／良良良、  （え、珪藻土板）（１Ｔ）良良良／良良良、（２Ｔ）良普良／良良良、（３Ｔ）良良良／良良良、（４Ｔ）良良良／良良良、（５Ｔ）劣劣劣／良良良、  （お、珪藻土板）（１Ｔ）良良良／良良良、（２Ｔ）良普良／良良良、（３Ｔ）良良良／良良良、（４Ｔ）良良良／良良良、（５Ｔ）劣劣劣／良良良  （表示：剥離性／接着性、良：楽にはがせる／接着充分、普：剥がしにくい／部分的に浮く、劣：粘着剤が残り取れない／剥がれ浮く）（使用を想定して、接着後室温２１度７日経過後の状態で試験）
【実施例２】
【００２７】  両面テープの接着性に似る市販している貼って剥がせる固化せず粘着性のある弾性粘着剤の効果を（あ）から（う）の３種類の珪藻土板に対して調べるために、市販セメダインＢＢＸを２種類の透水シート（Ｓ１）と（Ｓ２）に糊付けし３０分放置して乾燥させて珪藻土板へ貼り付けて２回にわたり調べ本考案の実用性が確かめられた（弾性粘着剤は十分に使える）；（あ、珪藻土板）（Ｓ１）良良／良良、（Ｓ２）良良／良良、  （い、珪藻土板）（Ｓ１）良良／良良、（Ｓ２）良良／良良、（う、珪藻土板）（Ｓ１）良良／良良、（Ｓ２）良良／良良、  （表示：剥離性／接着性、良：楽にはがせる／接着充分、普：剥がしにくい／部分的に浮く、劣：粘着剤が残り取れない／剥がれ浮く）（使用を想定して、接着後室温１５度５日経過後の状態で試験）
【図１】
0003223303.tif 000003
【図２】
0003223303.tif 000004
【図３】
0003223303.tif 000005